(57)【要約】本発明は、操作識別装置、操作識別方法およびその装置を備えるインテリジェント端末である。本発明の操作識別装置は以下を含む。前記操作識別装置に操作受付ユニット（１１）、少なくとも1つの駆動チャネル（１０１）と少なくとも1つのサンプリングチャネル（１０２）からなる走査配列（１０）、少なくとも1つの信号読取ユニット（１２）が含まれ、前記駆動チャネル（１０１）と前記サンプリングチャネル（１０２）は交差して少なくとも1つの電気ノード（１０３）を形成し、前記信号読取ユニット（１２）はサンプリングチャネル（１０２）に接続され、全てのサンプリングチャネル（１０２）における電気信号が取得され；少なくとも1つの信号源（１３）が更に含まれ、前記信号源（１３）は各駆動チャネル（１０１）に接続され、全ての駆動チャネル（１０１）に電気信号を送信し、その中に少なくとも2つの駆動チャネル（１０１）の電気信号は異なる周波数である。前記信号読取ユニット（１２）に、少なくとも1つのバンドパスフィルター（１２１）が含まれ、各サンプリングチャネル（１０２）の電気信号を取得する。本方法は動作識別の遅延を効果的に低減し、動作識別の効率を向上させる。本方法は走査配列型の入力デバイスに適しており、特にタッチスクリーンやタッチパッドに関する応用に適している。
2021506025.tif 000002
【特許請求の範囲】
【請求項１】
操作受付ユニット、少なくとも1つの駆動チャネルと少なくとも1つのサンプリングチャネルからなる走査配列、少なくとも1つの信号読取ユニットが含まれ、前記駆動チャネルと前記サンプリングチャネルは交差して少なくとも1つの電気ノードを形成し、前記信号読取ユニットは全てのサンプリングチャネルに接続され、全てのサンプリングチャネルにおける電気信号が取得される操作識別装置であって、少なくとも1つの信号源がさらに含まれ、前記信号源は各駆動チャネルに接続され、全ての駆動チャネルに電気信号を同時に送信し、そのうちの少なくとも２つの駆動チャネルの電気信号は異なる周波数であり、前記信号読取ユニットに、少なくとも1つのバンドパスフィルターが含まれ、各サンプリングチャネルの電気信号を取得し、前記操作受付ユニットがユーザー操作を受信した後、前記走査配列において前記ユーザー操作に対応する位置にある少なくとも１つの電気ノードがオンにされ、オンにされた電気ノードに対応する駆動チャネルおよびサンプリングチャネルが電気経路を形成し、前記信号読取ユニットに全てのサンプリングチャネルにおける電気信号が取得され、取得された電気信号のあるサンプリングチャネルと電気信号の周波数により電気経路の位置が決められるとともに、前記ユーザー操作の位置が識別されることを特徴とする操作識別装置。
【請求項２】
前記信号読取ユニットは、前記サンプリングチャネルと数が等しく、前記サンプリングチャネルに対応して一つずつ配置されることを特徴とする請求項１に記載の操作識別装置。
【請求項３】
前記信号読取ユニットは一つであり、前記操作識別装置には一組の切り換えスイッチがさらに含まれ、各サンプリングチャンネルが一つの切り替えスイッチで前記信号読取ユニットに接続され、前記信号読取ユニットは、前記切り替えスイッチで各サンプリングチャネルの電気信号を一つずつ取得することを特徴とする請求項１に記載の操作識別装置。
【請求項４】
隣接する駆動チャネルの電気信号の周波数間隔が周波数閾値よりも大きいことを特徴とする請求項１〜３のいずれか一項に記載の操作識別装置。
【請求項５】
前記操作受付ユニットはボタンであり、
前記ユーザー操作は押下操作であり、
前記信号源から周波数の異なる電気信号が各駆動チャンネルへ同時に送信されることを特徴とする請求項１〜３のいずれか一項に記載の操作識別装置。
【請求項６】
前記操作受付ユニットはタッチスクリーンであり、
前記ユーザ操作はタッチ操作であり、
前記信号源から周波数の異なる電気信号が各駆動チャンネルへ同時に送信されることを特徴とする請求項１〜３のいずれか一項に記載の操作識別装置。
【請求項７】
前記操作識別装置には、前記信号読取ユニットに接続され、タッチ操作の区域面積およびピクセル情報を含むデジタル信号に前記電気信号が変換されたアナログデジタル変換器をさらに含むことを特徴とする請求項６に記載の操作識別装置。
【請求項８】
操作受付ユニット、少なくとも1つの駆動チャネルと少なくとも1つのサンプリングチャネルからなる走査配列、少なくとも1つの信号読取ユニットが含まれ、前記駆動チャネルと前記サンプリングチャネルは交差して少なくとも1つの電気ノードを形成し、前記信号読取ユニットは全てのサンプリングチャネルに接続され、全てのサンプリングチャネルにおける電気信号が取得される操作識別装置に基づいて実行される操作識別方法であって、前記操作識別装置は、
前記操作識別装置における信号源から全ての駆動チャネルへ周波数の異なる電気信号が同時に送信され、そのうちの少なくとも２つの駆動チャネルの電気信号は異なる周波数であるステップＳ１０１、
前記操作受付ユニットがユーザー操作を受信する時に、前記走査配列において前記ユーザー操作に対応する位置にある少なくとも１つの電気ノードがオンにされ、オンにされた電気ノードに対応する駆動チャネルおよびサンプリングチャネルが電気経路を形成するステップＳ１０２、
前記信号読取ユニットに各サンプリングチャネルにおける電気信号が取得されるステップＳ１０３、
各サンプリングチャネルの電気信号の周波数が識別されるステップＳ１０４、
ステップＳ１０３及びステップＳ１０４に取得された電気信号のあるサンプリングチャネルと電気信号の周波数により電気経路の位置が決められるとともに、ユーザー操作の位置が識別されるステップＳ１０５を含むことを特徴とする操作識別方法。
【請求項９】
前記信号読取ユニットは、前記サンプリングチャネルと数が等しく、各前記信号読取ユニットに少なくとも一つのバンドパスフィルターが含まれ、
ステップＳ１０３に、すべての信号読取ユニットに対応してサンプリングチャネルの電気信号が同時に取得され、
ステップＳ１０４に、各信号読取ユニットは前記バンドパスフィルタで各サンプリングチャネルの電気信号を少なくとも２つの周波数範囲に濾過除去させ識別することを特徴とする請求項８に記載の操作識別方法。
【請求項１０】
前記信号読取ユニットは一つであり、前記操作識別装置には一組の切り換えスイッチがさらに含まれ、各サンプリングチャンネルが一つの切り替えスイッチで前記信号読取ユニットに接続され、
ステップＳ１０３に、前記信号読取ユニットは、前記切り替えスイッチで各サンプリングチャネルの電気信号を一つずつ取得することを特徴とする請求項８に記載の操作識別方法。
【請求項１１】
前記信号読取ユニットに、少なくとも1つのバンドパスフィルターが含まれ、
ステップＳ１０４に、前記信号読取ユニットは前記バンドパスフィルタで各サンプリングチャネルの電気信号を少なくとも２つの周波数範囲に濾過除去させ識別することを特徴とする請求項１０に記載の操作識別方法。
【請求項１２】
ステップＳ１０４に、各サンプリングチャネルの電気信号はフーリエ変換によりスペクトルパラメータに変換され、ステップＳ１０１の各周波数に対応する電気信号振幅の大きさが識別されることを特徴とする請求項１０に記載の操作識別方法。
【請求項１３】
ステップＳ１０１に、前記信号源から周波数の異なる電気信号が各駆動チャンネルへ同時に送信されることを特徴とする請求項８〜１２のいずれか一項に記載の操作識別方法。
【請求項１４】
前記操作識別装置には、ステップＳ１０１〜Ｓ１０５が走査周期に応じてループで実行されることを特徴とする請求項８〜１２のいずれか一項に記載の操作識別方法。
【請求項１５】
前記操作受付ユニットはタッチスクリーンであり、
前記ユーザ操作はタッチ操作であり、
前記操作識別装置にアナログデジタル変換器がさらに含まれ、
前記操作識別方法は、前記アナログデジタル変換器にはタッチ操作の区域面積およびピクセル情報を含むデジタル信号に前記電気信号が変換されるステップＳ１０６を更に含むことを特徴とする請求項８〜１２のいずれか一項に記載の操作識別方法。
【請求項１６】
請求項1に記載の操作識別装置を含むインテリジェント端末。
【発明の詳細な説明】
【技術分野】
【０００１】
本発明は、操作識別の技術分野に属し、特に操作識別装置および方法、およびその装置を備えるインテリジェント端末に関する。
【背景技術】
【０００２】
工業生産においてであるか、商業的応用においてであるか、または日々の生活においてであるかに拘らず、大部分の電子製品に人間とコンピューターの相互作用機能が備えられており、入力デバイスでユーザーからの入力操作が受信され、キーボードやタッチスクリーン等のような一般的な入力デバイスにはアレースキャニングの作動が共通の特性とされる。
【０００３】
図1に、キーボード配列の概略図が示されており、キーボード配列には、R0-R3が行チャネルとされ、C0-C3が列チャネルとされ、各行チャネルはすべての列チャネルと交差して16個の電気ノードを形成し、且つ16個のボタンが設けられ、各ボタンは電気ノードの行チャネルと列チャネルに対し接続されている。次に掲げたステップに従って前記キーボード配列が作動する。
１、信号は、一つの行チャネルへ入力される。たとえば、高い電気的レベルまたは低い電気的レベルに設定される。
２、検出回路には、各列チャネルの電気的レベルのステータスが順番に読み取られる。信号または電気的レベルが受信されたかどうかに応じて、信号が受信された場合、目下此の行の此の列におけるボタンが押されていることが示され、信号或は電気的レベルがない場合、目下此の行の此の列におけるボタンが押されていないことが示される。
３、各行と各列を1つずつ順番に、全ての行と列をトラバースし終えるまで走査して、一つの走査周期の完了が表される。
４、このような走査を繰り返し行い、キーを押す操作の検出を絶えなく続ける。
【０００４】
タッチスクリーンの走査原理は前記キーボード配列と類似しており、前記タッチスクリーン内にタッチ操作を感知するための行チャネル及び列チャネルが設けられており、且つ１行ずつ、また１列ずつに走査している。上記のいろいろな配列において、走査する時には、一つの走査周期で全ての行チャネル又は列チャネルがチャネル位置の順序に応じて一度ずつ走査される。
【０００５】
図2は、走査配列のトポロジー図を示す。図2の左側に、入力信号を受信する、駆動回路として作動する列チャネルを示す。図2の右側に、検出回路により検出される行チャネルを示す。各行チャネルにスイッチが設けられ、スイッチで、ひとつの時点においては一つの行チャネルのみが選択され、ステータス検出を行う。
【０００６】
従来技術の技術的手段の欠点は、配列全体の走査に比較的長いプロセスが必要であり、各行と各列がトラバースされる必要があることである。キーを押す操作またはタッチ操作への応答に一定の遅延があり、ユーザー操作している位置を即座に特定することはできない。最悪の場合、ユーザーの操作が、操作された位置の行または列の走査がまさに過ぎたばかりの時であると、ユーザーのタッチイベントが見つけられるのは次の周期まで不可能であり、遅延時間に対する要求が高度なゲームプレイなどのような応用では、これらの遅延はユーザー体験の質を低下させる。
したがって、いかにしてユーザー操作を識別する時間を短縮させるか、操作識別の効率を向上させるかは、解決すべき技術的な課題である。
【発明の概要】
【発明が解決しようとする課題】
【０００７】
本発明の目的は、従来技術の欠点を克服するために、操作識別遅延が短縮できる操作識別装置、前記操作識別装置に基づく操作識別方法、および操作識別装置を備えたインテリジェント端末を提供することである。
【課題を解決するための手段】
【０００８】
本発明は、操作識別装置を公開し、操作受付ユニット、少なくとも1つの駆動チャネルと少なくとも1つのサンプリングチャネルからなる走査配列、少なくとも1つの信号読取ユニットが含まれ、前記駆動チャネルと前記サンプリングチャネルは交差して少なくとも1つの電気ノードを形成し、前記信号読取ユニットは全てのサンプリングチャネルに接続され、全てのサンプリングチャネルにおける電気信号が取得され、前記操作識別装置に少なくとも1つの信号源がさらに含まれ、前記信号源は各駆動チャネルに接続され、全ての駆動チャネルに電気信号を同時に送信し、そのうちの少なくとも2つの駆動チャネルの電気信号は異なる周波数であり、前記信号読取ユニットに、少なくとも1つのバンドパスフィルターが含まれ、各サンプリングチャネルの電気信号を取得し、前記操作受付ユニットがユーザー操作を受信した後、前記走査配列において前記ユーザー操作に対応する位置にある少なくとも１つの電気ノードがオンにされ、オンにされた電気ノードに対応する駆動チャネルおよびサンプリングチャネルが電気経路を形成し、前記信号読取ユニットに全てのサンプリングチャネルにおける電気信号が取得され、取得された電気信号のあるサンプリングチャネルと電気信号の周波数により電気経路の位置が決められるとともに、ユーザー操作の位置が識別される。
【０００９】
好ましくは、前記信号読取ユニットの数は、前記サンプリングチャネルの数と等しく、前記サンプリングチャネルに対応して一つずつ配置される。
前記信号読取ユニットが一つである場合、好ましくは、前記操作識別装置には一組の切り換えスイッチがさらに含まれ、各サンプリングチャンネルが一つの切り替えスイッチで前記信号読取ユニットに接続され、前記信号読取ユニットは、前記切り替えスイッチで各サンプリングチャネルの電気信号を一つずつ取得する。
好ましくは、電気信号の、隣接する駆動チャネル間の周波数間隔は周波数閾値よりも大きい。
【００１０】
好ましくは、前記操作受付ユニットはボタンであり、前記ユーザー操作は押下操作であり、前記信号源から周波数の異なる電気信号が各駆動チャンネルへ同時に送信される。
好ましくは、前記操作受付ユニットはタッチスクリーンであり、前記ユーザ操作はタッチ操作であり、前記信号源から周波数の異なる電気信号が各駆動チャンネルへ同時に送信される。
好ましくは、前記操作識別装置には、前記信号読取ユニットに接続され、タッチ操作の区域面積およびピクセル情報を含むデジタル信号に前記電気信号が変換されたアナログ−デジタル変換器をさらに含む。
【００１１】
本操作識別方法は、操作受付ユニット、少なくとも1つの駆動チャネルと少なくとも1つのサンプリングチャネルからなる走査配列、少なくとも1つの信号読取ユニットが含まれ、前記駆動チャネルと前記サンプリングチャネルは交差して少なくとも1つの電気ノードを形成し、前記信号読取ユニットは全てのサンプリングチャネルに接続され、全てのサンプリングチャネルにおける電気信号が取得される操作識別装置に基づいて実行され、この操作識別方法は、次に掲げたステップを含む。
【００１２】
S101:前記操作識別装置における信号源から全ての駆動チャネルへ周波数の異なる電気信号を同時に送信する。ここにおいて、少なくとも2つの駆動チャネルの電気信号は異なる周波数である。S102: 前記操作受付ユニットがユーザー操作を受信する時に、前記走査配列において前記ユーザー操作に対応する位置にある少なくとも１つの電気ノードがオンにされ、オンにされた電気ノードに対応する駆動チャネルおよびサンプリングチャネルが電気経路を形成する。
S103：前記信号読取ユニットによって各サンプリングチャネルにおける電気信号が取得される。
S104: 各サンプリングチャネルの電気信号の周波数が識別される。
S105: ユーザー操作の位置を識別するために、ステップS103及びステップS104において取得された、電気信号があるサンプリングチャネル位置と電気信号の周波数とにより電気経路の位置が求められる。
【００１３】
好ましくは、前記信号読取ユニットの数は、前記サンプリングチャネルの数と等しく、各前記信号読取ユニットに少なくとも一つのバンドパスフィルターが含まれ、ステップS103において、すべての信号読取ユニットに対応してサンプリングチャネルの電気信号が同時に取得され、ステップS104において、各信号読取ユニットは前記バンドパスフィルタで各サンプリングチャネルの電気信号を少なくとも２つの周波数範囲に濾過除去して識別する。
前記信号読取ユニットが一つである場合、好ましくは、前記操作識別装置には一組の切り換えスイッチがさらに含まれ、各サンプリングチャンネルが一つの切り替えスイッチで前記信号読取ユニットに接続され、ステップS103において、前記信号読取ユニットは、前記切り替えスイッチで各サンプリングチャネルの電気信号を一つずつ取得する。
【００１４】
好ましくは、前記信号読取ユニットに、少なくとも1つのバンドパスフィルターが含まれ、ステップS104において、前記信号読取ユニットは前記バンドパスフィルタで各サンプリングチャネルの電気信号を少なくとも２つの周波数範囲に濾過除去させ識別する。
好ましくは、ステップS104において、各サンプリングチャネルの電気信号はフーリエ変換によりスペクトルパラメータに変換され、ステップS101の各周波数に対応する電気信号振幅の大きさが識別される。
好ましくは、ステップS101において、前記信号源から周波数の異なる電気信号が各駆動チャンネルへ同時に送信される。
【００１５】
好ましくは、前記操作識別装置が、ステップS101〜S105を走査周期に応じて繰り返しで実行する。
好ましくは、前記操作受付ユニットはタッチスクリーンであり、前記ユーザ操作はタッチ操作であり、前記操作識別装置にアナログデジタル変換器がさらに含まれ、前記操作識別方法は、次のステップをさらに含む。
S106：前記電気信号を、タッチ操作の区域面積およびピクセル情報を含むデジタル信号に変換する。
【００１６】
本発明は、上記の操作識別装置を含むインテリジェント端末を開示する。
上記の技術手段を採用すると、本願発明は従来の技術手段と比べて、次に掲げた有益な効果がある。
１．動作識別の遅延が効果的に低減されて、動作識別の効率を向上させる。
２．本操作識別装置は走査配列型の入力デバイスに適しており、特にタッチスクリーンやタッチパネルに関する応用に適している。
【図面の簡単な説明】
【００１７】
【図１】図１は、従来技術のキーボード配列の概略図である。
【図２】図２は、従来技術の走査配列のトポロジー図である。
【図３】図３は、本発明において一つの好ましい実施例に操作識別装置に適うブロック図である。
【図４】図４は、本発明においてもう一つの好ましい実施例に操作識別装置に適うブロック図である。
【図５】図５は、本発明において一つの好ましい実施例に操作識別方法に適うフロー図である。
【図６】図６は、本発明において一つの好ましい実施例に操作識別方法に適うフロー図である。
【符号の説明】
【００１８】
１０−走査配列、
１０１−駆動チャネル、
１０２−サンプリングチャネル、
１０３−電気ノード、
１１−操作受付ユニット、
１２−信号読取ユニット、
１２１−バンドパスフィルター、
１３−信号源、
１４−アナログデジタル変換器、
１５−切り替えスイッチ。
【発明を実施するための形態】
【００１９】
添付の図面および特定の実施態様を参照して以下でさらに本発明の利点を詳細に説明する。
此処には、典型的実施例を詳細に説明し、図面に説明的に示す。
以下の説明は、図面において、他の説明をしていない場合、異なる図面中の同じ数字は同じ或は類似の要要を示す。以下の実施例中の説明される実施態様は、本発明と一致する全ての実施状態を意味するわけではない。むしろこれとは逆に、それらは、添付の請求項に記述された、本発明の幾つかの態様と一致する装置と方法の単なる例示である。
【００２０】
本発明に使用する用語は、特定実施例を説明する目的のものであり、本発明を限定することを意図しない。本発明と添付請求項に使用される単数形の「一種」や「前記」や「その」は、文脈が他の含意をはっきり示す場合を除き、複数形をも含むことを意図している。更に、本発明に使用される「及び/又は」は、一つ或は複数の挙げられた項目の任意或は全ての可能な組合を含むのを意図していると理解されるべきである。
【００２１】
本発明の、第一、第二、第三等の様な用語を採用して様々な情報を説明することは、これ等の情報がそれらの用語に限定されないと理解されるべきである。これ等の用語は同じ類型の情報をただ互いに区別するために使われる。例えば、本発明の範囲を脱離しない範囲で、第一情報が第二情報と呼ばれ、同様に、第二情報が第一情報と呼ばれる。これは、文脈により決まり、例えば、ここに使用される言葉「もし・・・」は、「…時」や「…際」や「に応じて」と解釈される。
【００２２】
本発明の説明には、用語「縦」、「横」、「上」、「下」、「前」、「後」、「左」、「右」、「垂直」、「水平」、「上部」、「下部」、「内側」、「外側」等の指示方位または位置関係は、図面に基づく方位或は位置関係であり、本発明を説明し簡略化するための便に供するものであって、言及された装置または要素を必ず特定の方位にし、特定の方位で構成し、操作することを示し或は暗示するのではないと理解される必要があり、本発明を限定するものと理解されてはならない。
【００２３】
本発明の説明においては、他の特定や定義がなされていない限り、用語「インストール」、「連接」、「接続」を広義に解説するべきである。例えば、これらは機械の接続或は電気の接続でもよく、又は二つの構成要素の内部の接続でも、直接接続でも、又は仲介者を介する間接接続であってもよい。当業者にとって、上記の用語の特定の意味は、特定の状況に従って理解することができる。
以下の説明には、構成要素を示す「モジュール」、「部品」または「ユニット」の様な接尾辞は、本発明の説明に有利なために使用しているのであり、それら自身に特定の意味を持たせている訳ではない。そのため、「モジュール」と「部品」を混合して使用することができる。
【００２４】
図3は、本発明の一つの好ましい実施例における操作識別装置のブロック図であり、前記操作識別装置は、次に掲げたユニットを含む。
【００２５】
-操作受付ユニット１１
前記操作受付ユニット１１は、ユーザ操作の受信に用いられるものであり、キーボードのキー、タッチスクリーンのタッチ層、コンソールのボタンなどようなユーザに直接接触されるデバイスであり、図３においてキーＳ１〜Ｓ１６である。前記操作受付ユニット１１の数は、前記操作識別装置を応用する場合の要求に応じて決められ、例えば、多機能携帯電話は常に9個のキーのキーボードが備えられて設計され、デスクトップコンピューターのキーボードの場合は101キーに設計され、産業機器の場合は操作の要求に応じてボタンが相応の数で設定され、スマートフォンやタブレットコンピューター等のデバイスにおけるタッチスクリーン又はタッチパッドは、完全なタッチレイヤーとなる。
【００２６】
-走査配列１０
前記走査配列１０は、キーボード配列の導電線またはタッチスクリーンの導電層であり得る。前記走査配列１０は、少なくとも１つの駆動チャネル１０１および少なくとも１つのサンプリングチャネル１０２からなり、前記駆動チャネル１０１は、図３に示されるＲ０〜Ｒ３のように外部電気信号を受信し、前記サンプリングチャネル１０２は、図３に示されるＣ０〜Ｃ３のように電気信号があるかどうかが検出されることに用いられる。前記駆動チャネル１０１は、行チャネル又は列チャネルのいずれであってもよく、駆動チャネル１０１が行チャネル又は列チャネルである場合、サンプリングチャネル１０２は、それぞれ列チャネル又は行チャネルであり、２つのチャネルの交差が達成される。
【００２７】
前記駆動チャネル１０１および前記サンプリングチャネル１０２は、必ずしも物理的な意味での垂直分布を満たす必要はなく、実際の必要に応じて、ポリラインや曲線などの異なる幾何学的形状に配置されることとなり、たとえば、コンピューターのキーボードに一部のキーの寸法が非一貫性にあり、相応の行チャネルまたは列チャネルの分布が必ずしも互いに垂直であるとは限らない。前記駆動チャネル１０１と前記サンプリングチャネル１０２の数は、応用する場合の要件に応じて決められ、たとえば、大きなタッチスクリーンまたはタッチパネルの駆動チャネル１０１は２０本を超えることがあるが、計算機のキーボードには４〜５本の駆動チャネル１０１しか必要としない。
【００２８】
各駆動チャネル１０１は、全てのサンプリングチャネル１０２と交差して電気ノード１０３を形成する。前記操作識別装置にユーザ操作が受信されない場合、前記電気ノード１０３は非導通状態にあり、例えば、前記駆動チャネル１０１および前記サンプリングチャネル１０２の両方が４本となる時に、すなわち４×４の走査配列１０である場合、電気ノード１０３が合計１６個ある。前記操作受付ユニット１１と前記スキャニングアレイ１０との間には物理的な接続があり、例えば、前記操作配列１０がキーボードアレイである場合、前記操作受付ユニット１１がキーであり、各キーは一つの電気ノード１０３に対応し、そのある電気ノード１０３に対応する駆動チャネル１０１とサンプリングチャネル１０２にキーの両端が接続され、キーが押されると、そのキーに対応する電気ノード１０３がオンになる。
【００２９】
図３に示すように、キーＳ１はＣ０とＲ３とが接続されてＣ０とＲ３の交点から成る電気ノード１０３に対応する。別の例として、前記走査配列１０がタッチスクリーンの導電層である場合、前記導電層は、２つのＩＴＯコーティング上でエッチングされた異なるＩＴＯ導電線と見なされ、２つのＩＴＯコーティング上でエッチングされたパターンは互いに垂直となり、1つが水平方向にあり、もう1つが垂直方向にあり、前記ＩＴＯはIndium Tin Oxideの略称である。前記操作受付ユニット１１は、前記導電層を覆うタッチ層であり、例えば、複合ガラススクリーンなど様な前記タッチ層に外部からのタッチ操作が受信された場合、前記導電層の静電容量や電気抵抗値の変化が引き起こされるとともに、ユーザー操作の検出が達成される。
【００３０】
-信号読取ユニット１２
前記信号読取ユニット１２は、全てのサンプリングチャネル１０２に接続され、全てのサンプリングチャネル１０２上の電気信号を取得する。前記信号読取部１２は、前記サンプリングチャネル１０２の電気信号が検出され、その電気信号の状態に応じて、サンプリングチャネル１０２の電気ノード１０３に対応する操作受付ユニット１１にユーザー操作が受信されたか否かを判定する検出回路であり得る。前記信号読取ユニット１２が少なくとも一つとなり、または複数であり得る。
【００３１】
-信号源１３
前記各信号源１３は、各駆動チャネル１０１に接続され、全ての駆動チャネル１０１に電気信号が同時に送信され、少なくとも２つの駆動チャネル１０１の電気信号は、異なる周波数となる。従来技術と異なり、本発明では前記信号源１３により前記駆動チャネル１０１に電気信号を提供し、従来技術においては前記駆動チャネル１０１の電気信号は、大抵デジタル論理レベル信号となるが、本発明の場合前記信号源１３は、異なる周波数の電気信号を提供して少なくとも２つの駆動チャネル１０１の電気信号に異なる周波数が与えられることを確かにする。例えば、図３に示すように、前記信号源１３は、１ＫＨｚ電気信号がＲ０へ提供され、２ＫＨｚ電気信号がＲ１へ提供されている。
【００３２】
前記電気信号は、正弦波、鋸波、方形波、または周期的特性を備えた他の波形であり得る。 前記信号源１３は、信号発生器であって良く、また前記操作識別装置内のクロック回路によって分周されて取得された異なる周波数の電気信号であっても良い。前記信号源１３は、全ての駆動チャネル１０１へ異なる周波数の電気信号が提供でき、すなわち、駆動チャネル１０１の電気信号の周波数はお互いに異なる。一部の駆動チャネル１０１へ異なる周波数の電気信号を提供し、残りの駆動チャネル１０１へ依然としてデジタル論理レベル信号が提供されるという、ハイブリッド電気信号が採用されても良い。
【００３３】
本発明では、前記各信号読取ユニット１２に少なくとも１つのバンドパスフィルタ１２１が含まれ、各サンプリングチャネル１０２の電気信号が取得されるように構成される。前記信号源１３から放出された異なる周波数の電気信号を識別するために、前記信号読取ユニット１２に少なくとも１つのバンドパスフィルタ１２１が含まれる。前記バンドパスフィルタは、特定の周波数帯域の波に通過を許させ、他の周波数帯域を遮蔽する。例えばRLC発振回路はアナログバンドパスフィルターである。尚も、図３を例にとると、前記信号源１３から１ＫＨｚ及び２ＫＨｚの電気信号がそれぞれ駆動チャネル１０１のＲ０及びＲ１へ送信され、キーＳ９またはキーＳ１３が押されると、サンプリングチャネル１０２のＣ０にとって、1KHzまたh2KHzの電気信号が受信されて前記バンドパスフィルター121で濾過除去及び識別が行われる必要がある。
【００３４】
例えば、前記バンドパスフィルタ１２１において１ＫＨｚの電気信号に通過を許させ、前記バンドパスフィルタ１２１の出力端において前記信号読取ユニット１２によって検出が行われ、１ＫＨｚの電気信号が検出された場合、キーＳ１３の押し下げを意味している。１ＫＨｚの電気信号が検出されなかった場合、ボタンＳ１３は押し下げられていない。前記バンドパスフィルタ１２１のバンドパス範囲及び数量は、走査配列１０および信号源１３の設定に従って決められ、例えば、４本の駆動チャネル１０１にそれぞれ異なる周波数が備えられているある場合、識別要件が満たされるには、異なる周波数帯域において作動する少なくとも４つのバンドパスフィルタを必要とする。前記バンドパスフィルタ１２１は並列に配置されてもよく、前記信号読取ユニット１２にそれぞれ異なるバンドパスフィルタ１２１の出力端から電気信号が検出される。
【００３５】
前記操作識別装置の動作原理は、次に掲げたステップを含む。前記操作受付ユニット１１がユーザの操作を受信した後、前記走査配列１０において前記ユーザー操作に対応する位置にある少なくとも１つの電気ノード１０３がオンにされ、オンにされた電気ノード１０３に対応する駆動チャネル１０１およびサンプリングチャネル１０２が電気経路を形成し、前記信号読取ユニット１２に全てのサンプリングチャネル１０２における電気信号が取得され、取得された電気信号のあるサンプリングチャネル１０２と電気信号の周波数とにより電気経路の位置が決められるとともに、ユーザー操作の位置が識別される。前記ユーザ操作は、前記操作受付ユニット１１の違いに応じて、押下操作やタッチ操作等であり得る。
【００３６】
具体的には、図３に示されている前記信号源１３から、１KHz、２KHz、３KHz、および４KHzの電気信号が駆動チャネル１０１、すなわちＲ０、Ｒ１、Ｒ２、およびＲ３へ同時に送信され、ユーザーがキーＳ１１を押すと、キーＳ１１でそれに接続された駆動チャネル１０１とサンプリングチャネル１０２がオンにされ、つまり、Ｒ１とＣ２がオンにされ、Ｒ１とＣ２から1本の電気経路が形成される。前記信号源１３から発出された２ＫＨｚの電気信号は、Ｒ１およびＣ２で信号読取ユニット１２に取得され、前記信号読取ユニット１２における少なくとも３つのバンドパスフィルタ１２１に、それぞれＣ０〜Ｃ３に存在し得る１KHz、２KHz、３KHz、および４KHzの電気信号がフィルタリングされ、最後に２KHzの電気信号がC２で検出され、推定されるのはＲ１とＣ２の組み合わせであるため、最終的にユーザーがキーＳ１１を押したことが識別される。ユーザが少なくとも２つのキーを同時に押したとしても、様々な駆動チャネル１０１の電気信号の周波数は異なるため、このようなユーザ操作も識別されることとなる。
【００３７】
例えば、ユーザーがキーＳ９とキーＳ１４を同時に押すと、前記信号読取ユニット１２に、C０で２ＫＨｚの電気信号が取得され、Ｃ１で１ＫＨｚの電気信号が取得されるとともに、Ｃ０とＲ１、Ｃ１とＲ０の2種類の電気経路が同時に形成される。従って、ユーザがキーＳ９とキーＳ１４を同時に押したことが識別されることとなる。タッチスクリーン構造の操作識別装置についても、その動作原理は上記の原理と同じであって、やはり異なるサンプリングチャネル１０２の電気信号の周波数を判断することにより、ユーザ操作の位置が識別される。
【００３８】
幾つかの実施形態では、信号源１３から一部の駆動チャネル１０１へは異なる周波数の電気信号のみが送信され、例えば、周波数電気信号のみがＲ０およびＲ１へ送信され、依然としてデジタル論理レベルをＲ２およびＲ３に送信するので、時分割伝送方式も必要であり、例えば前記信号源１３から、先ず１ＫＨｚと２ＫＨｚの電気信号がＲ０とＲ１へ同時に送信され、次に高い電気的レベルがＲ２とＲ３へそれぞれ別の時刻に送信される。従って、前記信号読取ユニット１２に２つの方法で電気信号が識別され、前記信号源１３からＲ０およびＲ１へ周波数電気信号が送信される時に、Ｃ０〜Ｃ３が走査し且つバンドパスフィルタ１２１によりフィルタリングされて識別が行われ、前記信号源１３から論理レベルがそれぞれＲ２およびＲ３へ送信される時に、C0〜C3における論理レベル信号がそれぞれ取得される。以上のように、バンドパスフィルタ１２１の数は、異なる周波数の電気信号を受信する駆動チャネル１０１の数とも一致している。
【００３９】
もし、従来技術で、４つの駆動チャネル１０１の作動に合計８ミリ秒間がかかる、つまり、一つの走査期間が８ミリ秒間であるとすると、駆動チャネルごとに平均２ミリ秒間を必要とする。しかしながら、本実施形態においては電気信号がＲ０およびＲ１へ同時に送信されるので、２ミリ秒間に短縮され、全ての駆動チャネル１０１への電気信号の供給は合計６ミリ秒間で終了することにより、これは従来技術と比べて、２ミリ秒間の節約になっている。上記の方法は、広範囲の用途に対して、周波数電気信号を受信した駆動チャネル１０１に電気信号の一つずつ受信される時間を圧縮し、従来技術と比べて省かれる時間について、周波数電気信号を受信した駆動チャネル１０１の数がＮであり、駆動チャネル１０１の総数がＭである場合、省かれる時間が従来技術における走査期間の
【数１】
2021506025.tif 000003
となる。この実施形態の利点は、コストと性能のバランスが総合的に考慮され、信号源１３のチャネルの数目及びバンドパスフィルタ１２１の数目がわずかに求められ、動作識別装置の内部空間構造も節約されることである。
【００４０】
図３に示す実施形態では、前記信号読取ユニット１２の数が１つであり、前記操作識別装置に一組の切り替えスイッチ１５がさらに含まれ、各サンプリングチャネル１０２が前記切り替えスイッチ１５を経て前記信号読取ユニット１２に接続される。前記信号読取ユニット１２は、前記切り替えスイッチ１５を介して、各サンプリングチャネルの電気信号を一つずつ取得している。この実施形態では、サンプリングチャネル１０２における検出に対して時分割法が依然として採用され、１つのサンプリングチャネル１０２の電気信号のみが同時にサンプリングされ、且つ前記スイッチ１５を介して異なるサンプリングチャネル１０２が選択されることにより、信号の分離が達成される。この実施形態の利点は、１つの信号読取ユニット１２のみが必要とされるため、ハードウェアのコストを節約することである。
【００４１】
前記操作識別装置の更なる改善として、走査配列１０内のすべての隣り合う駆動チャネル１０１の電気信号の間の周波数間隔は、周波数閾値よりも大きいというものがある。相隣している駆動チャネル１０１間の干渉を低減し、電気信号の識別率を向上させるために、相隣している駆動チャネル１０１における電気信号の周波数は、十分な周波数間隔が保たれなければならず、それはすなわち周波数閾値よりも大きいということである。前記周波数閾値は、信号読取ユニット１２の周波数識別率に従って決められる。
【００４２】
例えば、前記信号読取ユニット１２の周波数識別率が５０Ｈｚである場合、９９０Ｈｚと１０１０Ｈｚの電気信号にとって区分することができないので、前記信号読取ユニット１２に前記電気信号の周波数が正確に取得されるために、周波数閾値が少なくとも５０Ｈｚに設定される必要がある。さらに、周波数リソースを効果的に使用するために、比較的遠く離れた駆動チャネル１０１において比較的接近している周波数の電気信号が提供され、たとえば図３のＲ０〜Ｒ３に対して、それぞれ１KHz、２KHz、３KHz、および１．５KHzの電気信号を提供することができる。Ｒ０とＲ３が比較的遠く離れているため、より接近している周波数が選択されることとなる。
【００４３】
さらに、信号源１３から異なる周波数の電気信号が各駆動チャネル１０１へ同時に送信され、すなわち、全ての駆動チャネル１０１に周波数電気信号が受信されることにより、電気信号の同時送信が達成され、前記駆動チャネル１０１の作動時間が最大限に省かれる。従来技術の方法では、電気信号が駆動チャネル１０１へ一つずつ送信されて必要な走査周期が各駆動チャネル１０１に作動時間が累算されるものであった。しかしながら、本発明では、各駆動チャネル１０１へ電気信号がそれぞれ送信されることなく、全ての駆動チャネル１０１へ同時に電気信号が提供されることにより、多くの時間が省かれて本発明の必要な走査期間は従来技術の１／Ｎとなる。
【００４４】
前記操作識別装置の更なる改善として、前記操作識別装置がタッチスクリーンである場合、前記操作識別装置に、前記信号読取ユニット１２に接続され、タッチ操作の区域面積およびピクセル情報タを含むデジタル信号に前記電気信号を転換させるアナログデジタル変換器１４が更に含まれる。タッチスクリーンにユーザのタッチ操作が受信される時、接触位置は複数の画素に対応し、得てして一面の区域であるため、ユーザーのタッチ操作の区域面積や画素の位置情報が識別される必要がある。前記タッチスクリーンの操作配列１０は、より高密度の駆動チャネル１０１及びサンプリングチャネル１０２となって設計され、これに対応して、前記電気ノード１０３も非常に高密度となる。
【００４５】
タッチ操作があると、複数の電気ノード１０３が導通し、 前記信号読取ユニット１２により複数のサンプリングチャネル１０２で異なる周波数の電気信号が取得されることとなり、前記アナログデジタル変換器１４により異なる周波数の電気信号にアナログデジタル変換が行われた後、同じ周波数の電気信号に対応する電気経路の範囲が判断されるとともに、それに対応するタッチ操作の区域面積とピクセル情報がさらに決められることがある。前記ピクセル情報は、即ち前記タッチ操作の区域における特定のピクセル座標位置である。本発明は、タッチスクリーンの分野やその他の分野のいずれにも適用可能であるが、タッチスクリーンの分野における適用効果が最も高い。
【００４６】
図4に、もう一つの好ましい本発明の操作識別装置の実施例のブロック図を示す。前記信号読取ユニット１２は、前記サンプリングチャネル１０２と数が等しく、前記サンプリングチャネル１０２に一対一に対応して配置される。同様に、各信号読取ユニット１２は少なくとも１つのバンドパスフィルタ１２１を含み、前記バンドパスフィルタ１２１の数は、異なる周波数の電気信号を受信する駆動チャネル１０１の数と等しい。この実施形態では、全ての信号読取ユニット１２が並行して動作されるので、サンプリングチャネル１０２に対してそれぞれポーリングする必要が全くないため、サンプリング時間が省かれる。前記操作識別装置がＸ個のサンプリングチャネル１０２を備える場合、この実施形態で走査周期が前の
【数２】
2021506025.tif 000004
にさらに圧縮されることとなる。従来技術の走査周期がTである場合、本発明による動作識別装置における全ての駆動チャネル１０１が、異なる周波数の電気信号数がNであり、サンプリングチャネルの数がMであると、本発明における走査周期は
【数３】
2021506025.tif 000005
である。
【００４７】
図5に、本発明の操作識別方法の好ましい実施例のフロー図を示す。前期操作識別方法は、操作受付ユニット１１、少なくとも1つの駆動チャネル１０１と少なくとも1つのサンプリングチャネル１０２からなる走査配列１０、少なくとも1つの信号読取ユニット１１が含まれ、前記駆動チャネル１０１と前記サンプリングチャネル１０２とは交差して少なくとも1つの電気ノード１０３を形成し、前記信号読取ユニット１１は全てのサンプリングチャネル１０２に接続され、全てのサンプリングチャネル１０２における電気信号が取得される操作識別装置に基づいて適用されるものであり、前記操作識別方法は、次に掲げたステップを含む。
【００４８】
Ｓ１０１:前記操作識別装置における信号源１３から全ての駆動チャネル１０１へ周波数の異なる電気信号を同時に送信する。そのうち少なくとも2つの駆動チャネル１０１の電気信号は異なる周波数である。
前記操作識別装置に一つの信号源１３が含まれ、前記信号源１３は、異なる周波数の電気信号を提供して少なくとも２つの駆動チャネル１０１に異なる周波数の電気信号が確かに供給される。前記電気信号は、正弦波、鋸波、方形波、または周期的特性を備えた他の波形であり得る。前記信号源１３は、全ての駆動チャネル１０１へ異なる周波数の電気信号が提供でき、すなわち、駆動チャネル１０１の電気信号の周波数はお互いに異なる。一部の駆動チャネル１０１へ異なる周波数の電気信号が提供でき、残りの駆動チャネル１０１へ依然としてデジタル論理レベル信号が提供され、混合電気信号が採用される。
【００４９】
Ｓ１０２: 前記操作受付ユニット11がユーザー操作を受信する時に、前記走査配列10において前記ユーザー操作に対応する位置にある少なくとも１つの電気ノード１０３がオンにされ、オンにされた電気ノード１０３に対応する駆動チャネル１０１およびサンプリングチャネル１０２が電気経路を形成する。
【００５０】
前記操作受付ユニット１１の相違に応じて、前記ユーザ操作は押下操作やタッチ操作等であり得る。前記操作受付部１１にユーザ操作が受信された後、前記操作受付部１１により、走査配列１０に物理的な変化を生じさせ、前記走査配列１０においてユーザ操作に対応する少なくとも１つの電気ノード１０３がオンにされ、オンにされた電気ノード１０３に対応する駆動チャネル１０１およびサンプリングチャネル１０２に電気経路が形成され、電気信号は、前記電気経路に伝わり、前記駆動チャネル１０１から前記サンプリングチャネル１０２に伝わる。
【００５１】
Ｓ１０３：前記信号読取ユニット12によって各サンプリングチャネル１０２の電気信号を取得する。
前記信号読取ユニット１２に、全てのサンプリングチャネル１０２上の電気信号が取得され、各サンプリングチャネル１０２について、１つのサンプリング方法は、各サンプリングチャネル１０２に対して一つの信号読取ユニット１２が配置され、すべての信号読取ユニットに電気信号が同期的に取得されることであり；もう１つのサンプリング方法は、一つの信号読取ユニット１２が用いられて、スイッチ１５を使って各サンプリングチャネル１０２を一つずつ選択して電気信号が取得されることである。前記信号読取ユニット１２にアナログ信号またはデジタル信号の検出可能な検出回路が内蔵されている。
【００５２】
Ｓ１０４: 各サンプリングチャネルの電気信号の周波数が識別する。
このステップでは、ステップＳ１０３において検出された各サンプリングチャネル１０２における電気信号の周波数が識別され、例えば、図３に示すようなＣ０〜Ｃ３には４つのサンプリングチャネル１０２における電気信号の周波数がそれぞれ識別される。周波数の識別は、サンプリング原理によって実現される。つまり、より高いサンプリング周波数で電気信号が検出され、次に、検出結果が「パッチング」されて完全な波形が形成される。ここにおいて、サンプリング周波数は、少なくとも前記電気信号の周波数の二倍であり、たとえば、前記サンプリングチャネル１０２における電気信号が２kHzである場合、サンプリング周波数は４kHz以上であり、サンプリング周波数が高いほど、精度が高くなり、電気信号の再現はより近似が良いものになる。同じサンプリングチャネル１０２に於ける電気信号に複数の周波数のものがある場合、ハードウェアまたはソフトウェア方式を採用して、時間領域または周波数領域で周波数分離がなされることとなる。
【００５３】
Ｓ１０５: ステップＳ１０３及びステップＳ１０４に取得された電気信号のあるサンプリングチャネル１０３と電気信号の周波数により電気経路の位置が決められるとともに、ユーザー操作の位置が識別される。
前記信号読取ユニット１２にスイッチ１５を使って電気信号が取得される場合、同時に１つのサンプリングチャネル１０２のみに対応するので、サンプリングチャネル１０２は決定可能であり、それに一つずつ検出されたタイミングに従ってサンプリングチャネル１０２の番号が決定されることとなる。前記信号読取ユニット１２がサンプリングチャネル１０２に１対１対応する方式が選択される場合、前記信号読取ユニット１２が番号付けされてもよい。どの信号読取ユニット１２に電気信号が検出されるかに従って、それに対応するサンプリングチャネル１０３に電気信号があるとわかる。
【００５４】
もし、あるサンプリングチャネル１０２から相応の周波数の電気信号が検出されるなら、それは、その電気信号を検出したサンプリングチャネル１０２が電気経路を形成していること、且つその電気信号の周波数範囲も決められることを意味する。、駆動チャネル１０１の電気信号は確定しているので、電気信号を検出した電気経路に対応する駆動チャネル１０１およびサンプリングチャネル１０２を決めることが出来る。、前記電気経路の位置が取得されることにより、各電気経路に対応する電気ノード１０３は一意的に定まり、前記電気ノード１０３に対応する位置が、ユーザの操作する位置である。
【００５５】
本発明のいくつかの実施形態では、前記信号読取ユニット１２の数の設定に応じて、ステップＳ１０３の内容が異なる。前記信号読取ユニット１２が前記サンプリングチャネル１０２と数が等しい場合、前記信号読取ユニット１２は前記サンプリングチャネル１０２に１対１で対応して配置され、各信号読取ユニット１２に、 少なくとも1つのバンドパスフィルター121が含まれる。ステップＳ１０３では、全ての信号読取ユニット１２に対応するサンプリングチャネルの電気信号が同時に取得される。ステップＳ１０４では、各記信号読取ユニットは前記バンドパスフィルタで各サンプリングチャネルの電気信号を少なくとも２つの周波数範囲に濾過除去させ識別する。
【００５６】
本実施形態では、バンドパスフィルタ１２１を用いて、同じサンプリングチャネル１０２における電気信号が複数の周波数帯域における電気信号に濾過除去され、例えば、並列型バンドパスフィルタ１２１を用いて各バンドパスフィルタ１２１の出力端から対応する周波数帯域における電気信号が出力されることにより、同じサンプリングチャネル１０２における異なる周波数の電気信号に対し分離処理が達成される。各信号読取ユニット１２の作動が互いに干渉しないので、サンプリングチャネル１０２における電気信号が同時に検出され、各サンプリングチャネル１０２を一つずつ検出する必要がなく、かくして、識別速度が大幅に向上する。
【００５７】
前記信号読取ユニット１２の数が１つである場合、前記操作識別装置には一組の切り替えスイッチ１５がさらに含まれ、各サンプリングチャネル１０２が切り替えスイッチ１５を経て前記信号読取ユニット１２に接続される。そしｈてステップＳ１０３では、前記信号読取ユニット１２に前記切り替えスイッチ１５を介して、各サンプリングチャネルの電気信号が一つずつ取得される。
【００５８】
前記信号読取ユニット１２が１つである場合に同じサンプリングチャネル１０２における異なる電気信号の周波数を識別することが達成されるためには、前記信号読取ユニット１２に少なくとも１つのバンドパスフィルタ１２１が含まれる。ステップＳ１０４において、前記信号読取ユニットは前記バンドパスフィルタで各サンプリングチャネルの電気信号を少なくとも２つの周波数範囲に濾過除去させ識別する。この実施形態には、依然として同じサンプリングチャネル１０２における異なる周波数の電気信号を識別する問題を解決するためにハードウェアが用いられる。
【００５９】
本発明の他の実施形態では、前記信号読取ユニット１２が１つであるときに同じサンプリングチャネル１０２における異なる電気信号の周波数が識別されるために、ステップＳ１０４に、各サンプリングチャネル１０２の電気信号はフーリエ変換によりスペクトルパラメータに変換され、ステップＳ１０１の各周波数に対応する電気信号振幅の大きさが識別される。前記フーリエ変換は、関数のフーリエ積分表現による積分変換であり、周期関数は特定の条件下でフーリエ級数に展開することができる。通信の分野では、フーリエ変換が決定的な役割を果たし、異なる周波数と振幅を有する複数の正弦波の重ね合わせに複雑な信号が変換されるとともに、信号の周波数スペクトルが取得され、前記周波数スペクトルは異なる周波数についての信号振幅を含んでおり、これ即ちスペクトルパラメータである。
【００６０】
本発明によれば、同じサンプリングチャネル１０２に異なる周波数の２つ以上の電気信号があり得るということは、ユーザがタッチスクリーンに於ける多点に触れること、または複数のキーを同時に押す場合に対応する。前記信号読み取りユニット１２により検出される電気信号は、異なる周波数を含む複合電気信号であり、フーリエ変換により複合電気信号がスペクトルパラメータに変換され、スペクトルパラメータの異なる周波数に対応する振幅を解析することにより、その周波数に対応する電気信号を受信したかどうかを知ることができる。
【００６１】
たとえば、ユーザーが２つのキーを同時に押すと、あるサンプリングチャネル１０２へ１kHzと２kHzの２つの電気信号がそれぞれ送信され、フーリエ変換によりスペクトルパラメーターが取得された後、１ｋＨｚおよび２ｋＨｚに対応する位置により高い振幅が見当たり、他の周波数に対応する位置に振幅がゼロまたは前もってセットされた他の基準電圧値であり、同じサンプリングチャネル１０２における異なる周波数の電気信号を識別することが達成される。
【００６２】
さらに、前記ステップＳ１０１には、信号源１３から異なる周波数の電気信号が各駆動チャネル１０１へ同時に送信され、すなわち、全ての駆動チャネル１０１に周波数電気信号が受信されることにより、電気信号の同時送信が達成され、前記駆動チャネル１０１の作動時間が最大限に省かれる。従来技術の方法では、電気信号が駆動チャネル１０１へ一つずつ送信されて必要な走査周期が各駆動チャネル１０１に作動時間が累算されるものであった。しかしながら、本発明では、各駆動チャネル１０１へ電気信号がそれぞれ送信されることなく、全ての駆動チャネル１０１へ同時に電気信号が提供されることにより、多くの時間が省かれて本発明の必要な走査期間は従来技術の１／Ｎである。
【００６３】
前記操作識別方法の更なる改善としては、前記操作識別装置には、ステップＳ１０１〜Ｓ１０５が走査周期に応じてループで実行される。前記操作識別装置はユーザ操作を識別し続けるので、前記ステップＳ１０１〜前記Ｓ１０５が周期的に実行され、異なる周波数の電気信号が駆動チャネル１０１へ連続的に提供され、且つ信号読取ユニット１２を介して前記電気信号が取得され且つ周波数識別が行われるとともに、ユーザーの操作する位置が識別される。
【００６４】
前記操作識別方法の更なる改善としては、前記操作受付ユニット１１はタッチスクリーンであり、前記ユーザ操作はタッチ操作であり、前記操作識別装置にアナログデジタル変換器１４がさらに含まれ、前記操作識別方法は、
前記アナログデジタル変換器にはタッチ操作の区域面積およびピクセル情報を含むデジタル信号に前記電気信号が変換されるステップＳ１０６を更に含む。
【００６５】
前記操作識別装置がタッチスクリーンである場合、前記操作識別装置に、前記信号読取ユニット１２に接続され、タッチ操作の区域面積およびピクセル情報タを含むデジタル信号に前記電気信号を転換させるアナログデジタル変換器１４が更に含まれる。タッチスクリーンにユーザのタッチ操作が受信される時に、接触位置は複数の画素に亘るものであり得てして一面の区域となるため、ユーザーのタッチ操作の区域面積や画素が識別される必要がある。
【００６６】
前記タッチスクリーンの操作配列１０は、より高密度の駆動チャネル１０１及びサンプリングチャネル１０２となって設計され、これに対応して、前記電気ノード１０３も非常に高密度となるので、タッチ操作があると、複数の電気ノード１０３が導通し、 前記信号読取ユニット１２により複数のサンプリングチャネル１０２で異なる周波数の電気信号が取得されることとなり、前記アナログデジタル変換器１４により異なる周波数の電気信号にアナログデジタル変換が行われた後、同じ周波数の電気信号に対応する電気経路の範囲が判断されるとともに、それに対応するタッチ操作の区域面積とピクセル情報がさらに決められることがある。前記ピクセル情報は、即ち前記タッチ操作の区域における特定のピクセル座標位置である。
【００６７】
本発明は、タッチスクリーンの分野やその他の分野の何方に適用可能であるが、タッチスクリーンの分野における適用効果が最も良い。
本発明は、上記の操作識別装置を含むインテリジェント端末を公開する。前記インテリジェント端末は、スマートフォン、タブレットコンピュータなどの人間とコンピューターの相互作用機能を備えた装置であり得り、前記操作識別装置を介してユーザー操作が受信される。
【００６８】
注意すべきことは、本発明の実施形態はいかなる形でも本発明を限定させずより優れた実施性が具わり、あらゆる当業者は、上記に開示された技術的内容が使われて同等の効果的な実施形態に変更されまたは変更するが、本発明の技術的手段から逸脱することなく、本発明の技術的本質により上記の実施形態に対する任意の変更または同等の変更及び変更は、依然として本発明の保護範囲内にあるということである。
【図１】
2021506025.tif 000006
【図２】
2021506025.tif 000007
【図３】
2021506025.tif 000008
【図４】
2021506025.tif 000009
【図５】
2021506025.tif 000010
【図６】
2021506025.tif 000011
【国際調査報告】
2021506025.tif 000012
2021506025.tif 000013
2021506025.tif 000014
2021506025.tif 000015